(57)【要約】  本発明は、オムツ耳部を接合された開放型の吸収性失禁用品に関する。この場合、背当て側のオムツ耳部の周縁領域に繋止部材を設ける。そして繋止部材の機能性を損なうことなく早い製造速度で、そして折り畳まれた吸収性失禁用品に繋止部材を同時にユーザーに親切に配置しながら、オムツ耳部を折り畳む。本発明はそのほか、この吸収性失禁用品を製造する方法に関する。
2013501549.tif 000002
【特許請求の範囲】
【請求項１】
本体（２０）を有する吸収性失禁用品（９）であって、
前記本体は、前当て（２２）と、背当て（２４）と、これら両者の間で長手方向（４８）に位置し、かつユーザーの両足の間に位置する股当て（２６）とを有し、本体（２０）は吸収体（２８）を含み、
前記本体は、背当て（２４）に接合された背当て側の材料片（３４ａ、３４ｂ）と、前当て（２２）に接合された前当て側の材料片（３５ａ、３５ｂ）とを有し、背当て側および前当て側の材料片（３４ａ、３４ｂ、３５ａ、３５ｂ）は、横方向（３８）に、本体（２０）の左右の側縁（４０ａ、４０ｂ）から突出し、前記背当て側および前当て側の材料片（３４ａ、３４ｂ、３５ａ、３５ｂ）は、失禁用品（９）の使用状態で、前当て（２２）と背当て（２４）とをたがいに結合し、背当て側および前当て側の材料片（３４ａ、３４ｂ、３５ａ、３５ｂ）は、使用状態で身体側に位置する内面（３３）と、身体と逆の側に位置する外面（３１）とを有し、
前記背当て側の材料片（３４ａ、３４ｂ）は、材料片（３４ａ、３４ｂ）の外側周縁領域（３７）に繋止部材（４２）を有し、繋止部材（４２）は、自由なつまみ（４５）を有する繋止部材舌状物（４４）を含み、つまみは、使用前は、材料片の内面に折り戻されており、
前記材料片（３４ａ、３４ｂ）は、失禁用品（９）の使用開始前は、ジグザグ形にそれ自体上下に重ねて、かつ内側に向かって本体（２０）の背当ての身体側の上に折り畳まれる構成であって、長手方向（４８）に平行に延びる折り目線（５０ａ、５０ｂ、５２ａ、５２ｂ）で折り畳まれて１つの折り畳み配置となっており、前記折り目線が背当て材料片（３４ａ、３４ｂ）を部分片に区分し、前記折り畳み配置で材料片のもっとも下位置の部分片（６０ｃ）が周縁領域（３７）を含み、前記周縁領域（３７）の内面が、本体（２０）の背当て（２４）の内面（３３）の方向に向けられるように折り畳まれ、
背当て側材料片（３４ａ、３４ｂ）のもっとも下位置の部分片（６０ｃ）の外側側縁（１１）が、その上で折り畳まれている部分片（６０ａ、６０ｂ）よりも、横方向に寸法Ｄだけ突出する、上記吸収性失禁用品。
【請求項２】
前記寸法Ｄが、もっとも下位置にある部分片（６０ｃ）の幅（Ｌ４）の少なくとも１０％かつ多くとも９０％、好ましくは少なくとも４０％かつ多くとも６０％であり、あるいは、寸法Ｄの突出が、少なくとも６ｍｍかつ多くとも５４ｍｍ、好ましくは少なくとも２４ｍｍかつ多くとも３６ｍｍであることを特徴とする、請求項１に記載の吸収性失禁用品（９）。
【請求項３】
前記折り目線が背当て側材料片（３４ａ、３４ｂ）を３つの部分片に区分し、中間の部分片の幅（Ｌ３）が、中間の部分片に隣接する部分片の幅（Ｌ２、Ｌ４）よりも小さいことを特徴とする、請求項１または２に記載の吸収性失禁用品（９）。
【請求項４】
前記折り目線が、背当て側材料片（３４ａ、３４ｂ）を３つの部分片に区分し、部分片（６０ａ、６０ｂ、６０ｃ）の幅（Ｌ２、Ｌ３、Ｌ４）の比が２：１：２であることを特徴とする、請求項１〜３のいずれか１項に記載の吸収性失禁用品（９）。
【請求項５】
前記背当て側材料片（３４ａ、３４ｂ）のいずれも、周縁領域（３７）に把握領域（５８）が設けられていることを特徴とする、請求項１〜４のいずれか１項に記載の吸収性失禁用品（９）。
【請求項６】
長手方向（４８）折りで上下に重ねて折り畳まれる前記背当て側材料片（３４ａ、３４ｂ）が、折り込み軸（６１ａ、６１ｂ）で背当て（２４）の内面の上に折り込まれ、材料片（３４ａ、３４ｂ）の少なくとも一部が、たがいに重なり合う位置、または突き合わせられる位置、またはたがいにわずかな間隔を置く位置に来ることを特徴とする、請求項１〜５のいずれか１項に記載の吸収性失禁用品（９）。
【請求項７】
前記前当て側材料片（３５ａ、３５ｂ）が、折り畳まれた失禁用品（９）の使用開始前は、長手方向（４８）に平行に延びる折り目線（５０ａ、５０ｂ、５２ａ、５２ｂ）で、それ自体上下に重ねて折り畳まれていることを特徴とする、請求項１〜６のいずれか１項に記載の吸収性失禁用品（９）。
【請求項８】
前記前当て側材料片（３５ａ、３５ｂ）が、折り畳まれた失禁用品（９）の使用開始前、長手方向（４８）に平行に延びる折り目線（５０ａ、５０ｂ、５２ａ、５２ｂ）で、それ自体上下に重ねてジグザグ形に折り畳まれていて、前記折り目線が、前当て側材料片（３５ａ、３５ｂ）を３つの部分片（６０ａ、６０ｂ、６０ｃ）に分け、前記部分片の幅（Ｌ２、Ｌ３、Ｌ４）の比が２：１：２となるように区分することを特徴とする、前記請求項１〜７のいずれか１項に記載の吸収性失禁用品（９）。
【請求項９】
前記背当て側材料片（３４ａ、３４ｂ）が、長手方向（４８）に平行な折り目線（５０ａ、５２ａまたは５０ｂ、５２ｂ）で、それ自体上下に重ねてジグザグ形に折り畳まれることと、折り畳まれた背当て側材料片が、折り込み軸（６１ａ、６１ｂ）で、内側に向かって本体（２０）の背当ての身体側の上に折り込まれ、前記背当て側の各材料片の周縁領域の内面が、本体（２０）の背当て（２４）の内面（３３）の方向に向けられるように折り込まれることとを特徴とする、前記請求項１〜８のいずれか１項に記載の折り畳まれた失禁用品（９）を製造する方法。
【請求項１０】
製造機械中の失禁用品（９）の搬送は、長手方向（４８）と平行に、帯材速度が２００ｍ／ｍｉｎ以上、２５０ｍ／ｍｉｎ以上、３００ｍ／ｍｉｎ以上、または３５０ｍ／ｍｉｎ以上で行われることを特徴とする、請求項９に記載の折り畳まれた失禁用品（９）を製造する方法。
【請求項１１】
前記失禁用品（９）が、少なくとも１回、好ましくは２回、内側に向かって、横方向（３８）に延びる折り目線（７０、７１）で、それ自体上下に重ねて折り畳まれ、好ましくは、まず前当て（２２）を本体の内面の上に、続いて背当て（２４）を前当ての外面の上に折り畳むことを特徴とする、請求項９または１０に記載の折り畳まれた失禁用品（９）を製造する方法。
【発明の詳細な説明】
【技術分野】
【０００１】
本発明は、失禁する成人のための開放型の折り畳み式吸収性失禁用品と、吸収性失禁用品を折り畳む方法に関する。
【背景技術】
【０００２】
ＤＥ‐１０２００５０３５５４４‐Ａ１はすでに、本体の側縁に取り付けられた次のような材料片を有する失禁用品を記載する。この材料片は、しばしばオムツの耳部と呼ばれ、この耳部はその周縁領域に繋止部材を備える。この場合オムツ耳部は、少なくとも２本の折り目線を中心にそれ自体上下に重ねて折り畳まれ、そして本体の身体側に折り込まれて、上下に重ねて折り込まれた配置を形成するが、この配置は、第１の接合箇所で取り外し可能な状態で固定されている。
【０００３】
ＥＰ‐１００５３１６‐Ｂ１は、開放型オムツのオムツ耳部のＺ字型折り畳みを記載する。この場合、まず耳部の外側末端を、背当て側に、少なくとも繋止面の幅だけ折り畳み、続いてこの状態で前方に、繋止面の幅の２倍分だけ前面に向かって折り戻す。その結果、繋止部材は、この折り畳まれた状態において材料層に覆われることがなく、ユーザーはただちにこれを視認できる。
【０００４】
ＥＰ‐１１６６７３５‐Ｂ１も、やはり背当て側オムツ耳部をＺ字形または逆Ｚ字に折り畳むことを記載する。この場合、最初の折り目は、内側に向かってオムツシャーシ(本体)の上へと行われ、続いて側部の自由な末端が、１回または複数回外側に向かって折り返されるが、その際この末端が、折り畳まれた状態で外側を向き、オムツを装着する際に―とくに寝たきりの人の場合―容易に展開できるように折り返す。
【０００５】
ＷＯ‐２００５／１１０３２１‐Ａ１は、吸収性の衛生用品を、第１および第２の長手方向の折り目線に沿って折り畳むことを記載するが、その際、オムツ耳部の外側エッジが折り目線を超えて延びるので、折り畳まれた衛生用品を容易に展開できる。なぜならば、繋止部材を支持する外側エッジに直接手が届くからである。
【０００６】
ＷＯ‐２００７／０５８７６１‐Ａ１は、別部材としてオムツ耳部を接合された吸収性衛生用品を、高速の機械速度で、意図しないしわや折り目を生じることなく、この衛生用品または繋止部材を製造する方法を記載するが、これは、オムツ耳部と繋止部材を保護する折り畳みを行うことによるものである。そのためオムツ耳部は、装着状態で内側を向く側に繋止部材を設けられ、一方の長手軸でシャーシ(オムツ本体)の内面に折り返される。続いて第２の長手軸で、側部全体をシャーシの上に折り返すが、この第２の折り幅は少なくとも第１の折り幅と同じ大きさとする。これは、第１の内側に向かって折り込まれた領域が、第２の折り目によって新たに折り畳まれることのないようにするためである。
【０００７】
ＤＥ‐１０２００４０２１３５３‐Ａ１は、１つの吸収性失禁用品を開示するが、この失禁用品は１つの本体を有し、この本体は、前当てと、背当てと、これら両者の間で長手方向に位置し、かつユーザーの両脚間に位置する股当てとからなり、この本体は１つの吸収体を含む。またこの失禁用品は、背当てに接合された背当て側の材料片と、前当てに接合された前当て側の材料片とを有する。これら背当て側および前当て側の材料片は、横方向に本体の左右長手周縁を越えて延びる、これら材料片は、使用状態では身体側に位置する内面と、使用状態で身体と反対側に位置する外面とを有する。そして背当て側の材料片は、背当て側材料片の外側領域に繋止部材を有する。これら背当て側おおび前当て側の材料片は、この失禁用品が使用状態にあるとき、前当てと背当てとをたがいに結合し、そして材料片は、折り畳まれた失禁用品を使用開始する前に、それ自体上下に重ねて、かつ内側に向かって本体の背当ての身体側に折り畳まれている。
【０００８】
従来の技術を出発点とすると、折り畳まれた失禁用品で問題となるのは、製造プロセスの製造速度が速い場合、仕様書通りに作られていない製品の割合が上昇することである。仕様書通りに作られていない製品とは、製品品質の点で製造者側で決められた基準を満足しないものをいう。この製品品質が損なわれるのは、製造速度が上昇すると、折り畳まれたオムツ耳部に設けられる繋止部材が、製造中に望まれずして開放されることによる。失禁用品が、折り畳まれたオムツ耳部および望まれずして開放された繋止部材とともに、長手方向および／または横方向に折り畳まれると、開放された、または一部開放された繋止部材が、失禁用品のほかの材料層と接触し、これらほかの材料層に望まれずして固定される。このため、失禁用品はもはや希望の状態では展開できず、場合によっては繋止部材が、効果的な固定には使用できなくなる。この種の失禁用品を製造プロセスから除外しない場合、この望まれざる固定は、続いて失禁用品包装の際に圧力がかかると、プラスチックフィルムバッグにさらに固定され、その結果、この種の製品は使用不能となるであろう。なぜならば、これらの製品はもはや欠陥なしでは開放、装着できないからである。
【発明の概要】
【発明が解決しようとする課題】
【０００９】
本発明の課題は、オムツ耳部を接合された開放型の吸収性失禁用品を、早い製造速度で、繋止手段の機能性を損なうことなく製造できるようにすることである。そのほかこのような失禁用品として、ユーザーに親切な配置のものを提供することである。
【課題を解決するための手段】
【００１０】
オムツ耳部（サイドフラップまたは側部を形成する材料片）を接合された開放型の失禁用品の場合、本発明は上記の課題を次のようにして解決する。すなわち、背当て側の材料片が折り畳まれている配置で、この材料片の周縁領域の内面は、本体の背当ての身体側の方向に向けられているものとする。この場合、もっとも下位置で折り畳まれている材料片の部分片は、材料片の周縁領域を含み、この周縁領域は、１つの繋止部材舌状物を含む繋止部材を有し、この舌状物は、使用前は材料片の内面の上に折り戻されている。この場合、部分片の側縁は、その上に折り畳まれた部分片よりも、横方向に寸法Ｄだけ突出し、したがって本来の折り目を越えて延びる。これら繋止部材舌状物は、使用時に失禁用品を閉じるため、本体の前当ての外面に、そして／または前当ての材料片の外面に、取り外し可能な状態で接着しながら、協働作用する。このため繋止部材舌状物は、たとえば接着剤ゾーン、または機械的繋止手段、たとえば面ファスナーを備えることができる。
【００１１】
発明者が認識したところでは、製造プロセスで繋止部材舌状物が望まれずして開放されるとき、その引き金となるのは繋止部舌状物に働く風力であって、この風力は、製造速度の上昇とともに上昇する。この風力が作用する危険は、とくに次のような時点で生じる。すなわち、背当て側の材料片が、折り畳まれた配置においてすでに、本体の内面の上に折り込まれている時点、そしてとくには、続いて失禁用品がその長手方向を横切る方向に折り畳まれる直前、または折り畳まれる間における時点である。この風力は、繋止部材が折り戻されている材料片内面の上で、繋止部材舌状物の接着力を上回り、こうして繋止部材は望まれないのに開放される。このようにして、この種の失禁用品がまったく使用不能となるのはしばしばである。
【００１２】
発明者がさらに認識したところでは、繋止部材は、本発明の配置によって、製造プロセスで発生する風力に対して十分に保護される。これについては、図面を用いてさらに詳しく説明する。背当て側の材料片でもっとも下位置に折り畳まれている部分片が材料片の周縁領域を含み、そして周縁領域が繋止部材を有し、そして部分片の外側側縁が、その上に折り畳まれた部分片よりも横方向に寸法Ｄだけ突出し、したがって本来の折り目を越えて延びることによって、次のことが可能となる。すなわち、ユーザーが背当て側の材料片をそのようなものとして認識し、快適に把握し、展開できるようになる。
【００１３】
この場合寸法Ｄは、好ましくは、もっとも下位置の部分片の幅の少なくとも１０％かつ多くとも９０％、さらに好ましくは、少なくとも４０％かつ多くとも６０％とする。突出する寸法Ｄは、好ましくは、少なくとも６ｍｍかつ多くとも５４ｍｍ、さらに好ましくは、少なくとも２４ｍｍかつ多くとも３６ｍｍとする。
【００１４】
背当て側材料片は、折り畳まれた失禁用品の使用開始前は、好ましくはそれ自体上下に重ねてジグザグ形に折り畳まれ、かつ好ましくは長手方向に平行に延びる折り目線で、好ましくは折り目線が材料片を３つの部分片に区分するように、折り畳まれるものとする。この場合、中間の部分片の幅Ｌ３は、中間の部分片に隣接する部分片の幅Ｌ２およびＬ４より小さい。好ましくは、部分片の幅Ｌ２、Ｌ３、Ｌ４の比を２：１：２とする。この場合好ましくは、折り目線が、材料片の内面の上に折り戻された繋止部材舌状物と交わらないようにする。その結果として、各材料片の周縁領域を含むもっとも外側の部分片が、好ましくは、折り戻された繋止部材舌状物の少なくともその幅に等しいものとする。
【００１５】
さらには、背当て側の材料片のいずれもそれぞれの周縁領域に、把握領域を設ければ有利である。
【００１６】
本発明の発展形態としては、背当て側の材料片が、前当て側の材料片よりも大きい面長さ、好ましくは少なくとも１０％大きい、とくに好ましくは少なくとも１５％大きい面長さ（単位ｃｍ２）を有する。とくには、背当て側材料片の長さ、すなわち背当て側材料片のオムツ長手方向の長さが少なくとも１３ｃｍ、さらに少なくとも１８ｃｍ、さらに少なくとも２２ｃｍとすることができる。さらには、背当て側材料片の長さが、失禁用品の全長の少なくとも１０％、さらに少なくとも１５％、さらに少なくとも２０％、さらに少なくとも２２％とすれば、有利であることが分かっている。この失禁用使い捨てオムツの全長を５０〜１２０ｃｍ、とくには６０〜１１０ｃｍ、さらにとくには７０〜１１０ｃｍとすれば有利である。さらには、前当て側材料片は長手方向が、背当て側材料片よりも小さく、少なくとも５％、さらに少なくとも１０％、さらに少なくとも１５％それぞれ小さく、そしてさらに多くとも５０％小さくすれば、有利であることが分かっている。本発明の発展形態として、材料片の幅、すなわち横方向における材料片の長さが、オムツ本体の側縁を１２〜４０ｃｍ、とくには１３〜３０ｃｍ、さらにとくには１４〜２５ｃｍとすれば、有利であることが分かっている。好ましくは、前当て側材料片は、背当て側材料片と同じ幅を有するものとする。
【００１７】
前当て側材料片もまた、折り畳まれた失禁用品の使用開始前に、それ自体上下に重ねて、好ましくはそれ自体上下に重ねてジグザグ形に折り畳むものとし、好ましくは、長手方向に平行に延びる折り目線で折り畳むものとする。
【００１８】
そのほか、前当て側および／または背当て側の材料片を不織布材料から形成すれば、有利であることが分かっている。とくには、熱可塑性ポリマーをベースとする少なくとも１つの調合成分を含む不織布材料は、すべてが適している。これらの不織布材は、ＰＥ（ポリエチレン）、ＰＰ（ポリプロピレン）、ＰＥＴ（ポリエチレンテレフタレート）、レーヨン、セルロース、ＰＡ（ポリアミド）、およびこれら繊維の混合物を含むことができる。２成分繊維または多成分繊維もまた考えられ、有利である。とくには、カード不織布、スパンボンド不織布、ウォータージェット・ニードルパンチ不織布、ＳＭ不織布、ＳＭＳ不織布、ＳＭＭＳ不織布、またはこれら不織布の１種類または複数種類からなるラミネートが有利である。この場合、ＳはＳｐｕｎｂｏｎｄ不織布層を、ＭはＭｅｌｔｄｏｗｎ不織布層を表す。とくに好ましいのはスパンボンド不織布である。なぜならばこの不織布は、長手方向および横方向に強度を有し、したがって場合によっては設けられる機械的繋止手段を把握することによってこの不織布に働くせん断力に、とくに良好に耐えることができるからである。機械的繋止手段を解く際に繊維が複合不織布からむしり取られるのを防ぐため、不織布要素にエンボスパターンを施し、好ましくはこのエンボスパターンによって不織布要素の繊維すべてが結合されるものとする。このような場合とくには高温エンボスパターンが有利であって、このパターンは、とくに有利な方法として、熱エネルギーを供給しながら不織布材のカレンダー加工によって得られる。
【００１９】
本発明によって折り畳まれた失禁用品を製造するには、背当て側材料片を、好ましくは長手方向に平行な２本の折り目線で、それ自体を上下に重ねてジグザグ形に折り畳み、そして折り畳まれた材料片を、好ましくはオムツ本体を通って延びる折り込み軸で、内側に向かって、本体の背当ての身体側の上に折り込む。本体の側縁が、背当て側材料片の接合領域で、折り込み軸を形成することも可能であろう。
【００２０】
したがって本発明は、請求項１〜８項のうち少なくとも１つに記載の折り畳まれた失禁用品を、製造する方法に関する。この場合、背当て側の材料片が、長手方向に平行な折り目線で好ましくはそれ自体上下に重ねてジグザグ形に折り畳まれ、そして折り畳まれた背当て側の材料片が、折り込み軸で内側に向かって、本体の背当ての身体側の上に折り込まれる。その際、背当て側の各材料片の周縁領域の内面が、身体側すなわち本体の背当ての内面の方向に向けられるようにして、折り込まれる。好ましくは、材料片がまずそれ自体上下に重ねて折り畳まれ、続いて本体の背当ての上に折り込まれる。そのほか好ましくは、材料片が、まずそれ自体上下に重ねて折り畳まれ、続いて折り畳まれた状態で本体の背当てに固定され、次に本体の内面の上に折り込まれる。
【００２１】
本発明の発展形態として、この失禁用品を、少なくとも１回好ましくは２回、内側に向かって、好ましくは横方向に延びる折り目線で、それ自体上下に重ねて折り畳む。その際、好ましくは、まず前当てを内側に向かって本体の内面の上に、これに続いて背当てを前当ての上に折り畳む。これにより、大きさがコンパクトなために製造プロセスと包装プロセスにおいて良好に取り扱い可能な製品が得られる。この製品の外観面は、折り畳まれた状態のとき、使用状態でも最外側の層となる材料層によって形成されるので、使用前の失禁用品の内面は、汚れから保護される。
【００２２】
好ましくは、製造の過程で製造機械における失禁用品の搬送は、とくには、背当て側の材料片を、折り込み軸で内側に向かって、本体の背当ての身体側へと、ジグザグ形に折り畳みかつ折り込むという手順段階を行い、その後、長手方向に平行に次のような帯材速度で行う。すなわちこの帯材速度は、２００ｍ／ｍｉｎ以上、とくには２５０ｍ／ｍｉｎ以上、さらにとくには３００ｍ／ｍｉｎ以上、さらにとくには３５０ｍ／ｍｉｎ以上とする。好ましくは、失禁用品はこの場合、上記の手順段階を含むところまでエンドレスで、すなわち、それぞれその後腰回り周縁となるところでたがいに結合された状態で、搬送されるものとする。好ましくは、下流側の手順段階で初めて、失禁用品が、個々の失禁用品を形成するため、横方向にたがいに分離され、続いて上記のように横方向に延びる折り目線でそれ自体上下に重ねて折り畳まれるものとする。
【００２３】
本発明のそのほかの特徴、詳細、利点を、添付の特許請求の範囲、図面、下記の本発明の好ましい実施形態の説明に記載する。図面の示す内容は次の通り。
【図面の簡単な説明】
【００２４】
【図１】完全に展開された失禁用品の上面図である。
【図２】本発明によって折り畳まれた失禁用品（それ自体上下に重ねて折り畳まれた背当て側の材料片を含む）の一部の上面図である。
【図２ａ】失禁用品を図２のＡ‐Ａ線で切った断面図である。
【図２ｂ】失禁用品を図２のＢ‐Ｂ線で切った断面図である。
【図２ｃ】失禁用品の上記と異なる実施形態を図２と同様位置のＡ‐Ａ線で切った断面図である。
【図３ａ】背当て側材料片の周縁領域に接合された繋止部材の断面図である。
【図３ｂ】背当て側材料片の周縁領域に接合された繋止部材の断面図である。
【発明を実施するための形態】
【００２５】
本発明による失禁用品９を、図１〜２ｂに模式的に示す。この失禁用品は、その全体を２０と、つけ番号された本体を含み、この本体はしばしばシャーシとも呼ばれるものである。本体２０は、前当て２２、背当て２４、両者の間に設けられた股当て２６を含み、この股当ては、失禁用品９がユーザーに装着されるとき、ユーザーの両脚の間に来るものである。本体２０は吸収体２８を含み、この吸収体は、体液を吸収して長時間貯留するのに適した寸法設計となっている。この吸収体は、好ましくはセルロース繊維と超吸収性ポリマー粒子（略称ＳＡＰ）を含み、液体不透過性の層３０に支持され、失禁用品９の外側の外観面がこの層を形成することができる。吸収体２８より上には、液体不透過性のトップシート３２を設けることができる。
【００２６】
背当て２４には、本体２０の第１の側縁片３６ａに、背当て側のサイドフラップまたは側片を形成する第１の材料片３４ａが接合され、本体２０の第２の側縁片３６ｂには、背当て側のサイドフラップまたは側片を形成する第２の材料片３４ｂが接合されている。材料片３４ａ、３４ｂは、矩形の輪郭を有する。脚に沿った輪郭を有する材料片３４ａ、３４ｂもまた考えられ、有利であって、これはＤＥ１０２００７０２４１８０‐Ａ１で開示されている。本体２０および背当て側材料片３４ａ、３４ｂの外側横方向周縁は、背当て側の腰回り周縁１００ａを形成する。
【００２７】
使用状態における失禁用品９の装着者身体と反対側を、外面３１と呼ぶ。使用状態における失禁用品９の装着者身体側を内面３３と呼ぶ。この理解によれば、失禁用品９の平らに展開された構成では、失禁用品９の構成要素それぞれに、１つの内面と１つの外面が割り当てられている。
【００２８】
図１は、完全に展開された状態の失禁用品９の内面３３を見た図である。背当て側の材料片３４ａ、３４ｂは繋止部材４２をそれぞれ２つずつ有する。これら繋止部材は、繋止部材舌状部４４を有し、この舌状部は、それ自体上下に重ねて折り畳まれ、規定通りに使用するために展開可能であり、そして自由なつまみ４５を有する。この繋止部材舌状部４４は、使用中の失禁用品を閉じるため、本体２０の前当て２２の外面３１および／または前当て２２の材料片と取り外し可能な状態で接着し、協働作用する。このため繋止部材舌状部は、接着ゾーンまたは機械的繋止手段、たとえば面ファスナーを有することができる。
【００２９】
失禁用品の前当て２２ではやはり、それ自体上下に重ねて折り畳まれるサイドフラップを形成する材料片３５ａ、３５ｂが設けられるが、これらの材料片は繋止部材を持たない。前当て側の材料片３５ａ、３５ｂは、矩形の輪郭を有する。脚に沿った輪郭を有する材料片３５ａ、３５ｂもまた考えられ、有利であって、これはＤＥ‐１０２００７０２４１８０‐Ａ１で開示されている。本体２０の外側の横方向周縁と、前当て側材料片３５ａ、３５ｂが、前当て側の腰回り周縁１００ｂを形成する。
【００３０】
本体の背当て２４における背当て側の各材料片３４ａ、３４ｂは、図２ａに示すように、長手方向４８に平行な各２本の折り目線５０ａ、５２ａまたは５０ｂ、５２ｂに沿って、それ自体上下に重ねてジグザグ形に折り畳まれている。この場合、材料片の部分片６０ａ、６０ｂ、６０ｃは、それぞれの領域同士が上下に重なって位置することになる。
【００３１】
失禁用品９を製造する過程で、背当て側各材料片３４ａ、３４ｂは、図１に示したものから出発して、それ自体上下に重ねてジグザグ形に折り畳まれた後、内側に向かって、長手方向４８に平行な折り込み軸、すなわちここに示す実施形態では本体２０内部を延びる折り込み軸６１ａ、６１ｂで、図２に示す位置に折り込まれた配置に折り返される。この配置で失禁用品９は、製造の過程で、とくには長手方向でエンドレスに、高い帯材速度の２００ｍ／ｍｉｎ以上の帯材速度で、さらに３００ｍ／ｍｉｎ以上の帯材速度で、なおさらに３５０ｍ／ｍｉｎ以上の帯材速度で搬送される。このような場合、帯材上面には強い風（“走行風”）が作用する。このため、強い風力が帯材上面を形成する諸要素に作用する危険が生じる。背当て側材料片３４ａまたは３４ｂのもっとも下位置の部分片６０ｃの外側側縁１１が、その上で折り畳まれた部分片６０ａまたは６０ｂよりも、横方向に寸法Ｄだけ突出することにより、少なくとも１つの背当て側材料片のもっとも下位置の部分片６０ｃの少なくとも１つの部分領域が、帯材上面の部分領域を形成する。この構成において、繋止部材舌状物が、製造欠陥を生じるような強い風力の影響を受ける危険にとくにさらされていることを、発明者は認識した。繋止部材舌状物４４は、その製造者用末端１が、通常は取り外せない状態で、すなわち好ましくは永久接着材２によって、または熱接着、超音波溶接そのほかの接合法によって、背当て側材料片３４ａ、３４ｂの周縁領域３７に非常に強く固定されている（図３ａ）。しかしこの舌状物の使用者用末端３では、繋止部材舌状物４４が、通常は、後日の使用のために、接着材４、または機械的繋止部材たとえば面ファスナーによって、非破壊的に剥離可能、すなわち使用状態ではユーザーのわずかな力で展開可能な状態で固定されている。図３ｂは、この失禁用品を使用する直前に規定通りに展開された繋止部材舌状物４４であって、背当て側材料片３４ａ、３４ｂの周縁領域３７の内面３３から非破壊的に剥離した後のものを示す。そのほか繋止部材舌状物４４は、使用者用末端３の外側領域に、いわゆる「つまみ」４５、すなわち、ユーザーが簡単に把握できるよう、さらに小さい力で剥離可能な末端部分、あるいは好ましくは、ここに示す例のように、完全には固定しないままの末端部分を備える。
【００３２】
本発明の配置によって、繋止部材舌状物４４の剥離可能な使用者用末端３が、そのつまみ４５とともに、折り畳まれた配置では身体側の方向に向けられて、すなわち背当て２４の内面３３の方向に向けられて、身体側に位置し、したがって帯材上面の一部ではなく、したがって上記の風力にさらされないか、またはそれほど強くはさらされない。その代わり永久的な、すなわち剥離不可能に固定された製造者用末端１は、帯材上面の一部である。したがって製造者用末端１は、より強い規模の風力にさらされても、良好に耐えることができる。なぜならば、背当て側材料片３４ａ、３４ｂの周縁領域３７への、製造者用末端の固定は、規定通りに非剥離性であるよう、すなわち明らかにより強い接着力を持って行われるからである。そのほか本発明の配置によって、ユーザーは、背当て側材料片３４ａ、３４ｂを背当て側材料片として認識することが可能となる。すなわち、背当て側材料片を前当て側材料片と区別することができ、また背当て側材料片を快適に把握して、展開できるようになる。なぜならば、背当て側材料片３４ａ、３４ｂのもっとも下位置の折り畳まれた部分片６０ｃは、材料片の周縁領域３７を含み、この周縁領域３７は、繋止部材４４を有し、そして、材料片６０ｃの外側側縁１１は、その上で折り畳まれている部分片６０ａ、６０ｂよりも、横方向３８に寸法Ｄだけ突出し、すなわち本来の折り目を超えて延びるからである。
【００３３】
さらには、背当て側材料片３４ａ、３４ｂのいずれも、それぞれの周縁領域３７に、把握領域５８が設けられている（図２ｂ）。この把握領域５８は、折り畳まれた材料片３４ａ、３４ｂを手で把握して展開するに適した領域である。材料片３４ａ、３４ｂの各把握領域５８は、図２に示す状態では、失禁用品９の長手中心軸に向かって背面側を向いている。
【００３４】
さらに好ましくは、背当て側の各材料片３４ａ、３４ｂを折り畳むに当たっては、背当て側材料片３４ａ、３４ｂのもっとも下位置の部分片６０ｃの外側側縁１１が、その上に折り畳まれた部分片６０ａ、６０ｂよりも、横方向に寸法Ｄだけ突出するよう、したがってユーザーが容易に把握できるように折り畳む。Ｄはこの場合、好ましくは部分片６０ｃの幅Ｌ４の少なくとも１０％かつ多くとも９０％、さらに好ましくは少なくとも４０％かつ多くとも６０％とする。突出する寸法Ｄは、好ましくは少なくとも６ｍｍかつ多くとも５４ｍｍ、さらに好ましくは少なくとも２４ｍｍかつ多くとも３６ｍｍとする。
【００３５】
１つの好ましい実施形態で、材料片３４ａ、３４ｂの上下に重ねて折り畳まれる部分片６０ａ、６０ｂ、６０ｃは、折り畳まれた状態で、とくに超音波溶接でスポット状に生じた接合箇所６２により、図２に示すように、好ましくは取り外し可能な状態でこの状態に固定する。このスポットは、好ましくは、直径０．３５ｍｍ、面積０．０９６２ｍｍ２とする。これら取り外し可能な固定を行うに当たっては、各材料片３４ａ、３４ｂのそれぞれ最初の把握領域５８を１回引けば完全に展開し、そのとき好ましくはすべての接合箇所６２が取り外され、あるいは分離されることができることが、示されている。
【００３６】
この種の好ましい実施形態では、長手方向折りで上下に重ねて折り畳まれた背当て側材料片３４ａ、３４ｂが、折り込み軸６１ａ、６１ｂで背当て２４の内面の上に折り込まれ、その際、材料片３４ａ、３４ｂは、たがいに突き合わせる位置、またはたがいにわずかな間隔を置く位置、いずれにせよたがいに重なりあうことがない位置に来る（図２）。
【００３７】
しかし上記と異なる１つの実施形態として、長手方向折りで上下に重ねて折り畳まれた背当て側材料片３４ａ、３４ｂが、折り込み軸６１ａ、６１ｂで、背当て２４の内面の上に深く折り込まれ、その際、材料片３４ａ、３４ｂの少なくとも一部領域が、たがいに上下となる位置に来るように折り込む（図２ｃ）。
【００３８】
失禁用品９は、背当て側および前当て側材料片の長手方向折り込み完了後、そして折り畳まれた材料片を本体の内面の上に折り込んだ後、少なくとも１回、好ましくは２回、内側に向けて、横方向３８に延びる折り目線７０、７１（図１）で、それ自体上下に重ねて折り畳む。この場合好ましくは、まず前当て２２を、内側に向かって、本体２０の内面３３の上に折り畳み、続いて背当て２４を前当て２２の上に折り畳む。これにより、大きさがコンパクトなので製造プロセスと包装プロセスで取り扱いやすい製品が得られる。そしてこの製品の折り畳んだ状態における外観面が、使用状態でも最外側の層となる材料層３０によって形成されるので、失禁用品９の内面３３が、使用前に汚れないよう保護される。
【００３９】
図１を用いて、図示の実施形態における各材料片の部分片６０ａ、６０ｂ、６０ｃの寸法を示す。展開された前当て側および背当て側材料片の横方向全長Ｌ１は、横方向３８で１６５ｍｍである。本体２０に隣接する部分片６０ａの幅Ｌ２は、約７０ｍｍである。中間の部分片６０ｂの幅Ｌ３は約３５ｍｍ、周縁領域３７を含む外側の部分片６０ｃの幅Ｌ４は約６０ｍｍである。前当ての材料片の長さＬ５は１６５ｍｍｍ、背当ての材料片の長さＬ６は２３０ｍｍである。
【図１】
2013501549.tif 000003
【図２】
2013501549.tif 000004
【図２ａ】
2013501549.tif 000005
【図２ｂ】
2013501549.tif 000006
【図２ｃ】
2013501549.tif 000007
【図３ａ】
2013501549.tif 000008
【図３ｂ】
2013501549.tif 000009
【国際調査報告】
2013501549.tif 000010
2013501549.tif 000011
2013501549.tif 000012
2013501549.tif 000013
2013501549.tif 000014
2013501549.tif 000015